(57)【特許請求の範囲】
【請求項１】
ソーラーパネルを支持するためのソーラーパネル支持台であって、
ソーラーパネルを支持する側の第１面に設けられ且つ第１方向に延在する第１の溝部であってソーラーパネルを固定するレールを載置するための第１の溝部と、
前記第１面に設けられ且つ前記第１方向と交差する第２方向に延在する第２の溝部であってソーラーパネルを固定する他のレールを載置するための第２の溝部と、
を含み、
前記第１の溝部にレールが載置されている場合には該レールに対する相対位置を前記第１方向に沿って変更可能に構成され、かつ、前記第２の溝部にレールが載置されている場合には該レールに対する相対位置を前記第２方向に沿って変更可能に構成された
ことを特徴とするソーラーパネル支持台。
【請求項２】
前記ソーラーパネル支持台を他のソーラーパネル支持台に連結するための連結部であって、前記第１面とその反対側の第２面とを接続する位置に配された連結部をさらに含んでおり、
前記連結部は、前記ソーラーパネル支持台と前記他のソーラーパネル支持台とを隣接させながら載置することによってそれらが係合するように構成されている
ことを特徴とする請求項１に記載のソーラーパネル支持台。
【請求項３】
前記第１面とその反対側の第２面とを接続する位置に配された把持部をさらに含み、
前記把持部は、切欠き、開口、溝、段差および取っ手の少なくとも１つを含む
ことを特徴とする請求項１または請求項２に記載のソーラーパネル支持台。
【請求項４】
前記把持部は、前記第１面と前記第２面とを接続する面に前記第１方向に沿って設けられた凹形状の溝であり、該溝が形成する角は、前記第１方向と交差する方向の断面において鈍角を形成している
ことを特徴とする請求項３に記載のソーラーパネル支持台。
【請求項５】
前記第１の溝部と前記第２の溝部との交差部は、前記第１の溝部の前記交差部以外の部分よりも前記第２方向の幅が広く、かつ、前記第２の溝部の前記交差部以外の部分よりも前記第１方向の幅が広くなっている
ことを特徴とする請求項１から請求項４のいずれか１項に記載のソーラーパネル支持台。
【請求項６】
前記第１の溝部と前記第２の溝部との交差部は、前記第１の溝部の前記交差部以外の部分、及び、前記第２の溝部の前記交差部以外の部分よりも、前記第１面からの深さが深くなっている
ことを特徴とする請求項１から請求項５のいずれか１項に記載のソーラーパネル支持台。
【請求項７】
前記第１面に対する平面視において、前記第１の溝部および前記第２の溝部は、Ｔ字状を形成するように設けられている
ことを特徴とする請求項１から請求項６のいずれか１項に記載のソーラーパネル支持台。
【請求項８】
請求項１から請求項７のいずれか１項に記載のソーラーパネル支持台と、
前記ソーラーパネル支持台の前記第１の溝部に載置されたレールと、
前記レールに対して固定されたソーラーパネルと、を具備する
ことを特徴とする太陽光発電装置。
【請求項９】
前記レールは、前記第１方向および前記第２方向に沿って格子状に複数配置され、
前記ソーラーパネル支持台は、前記格子状に配置された前記複数のレールを前記第１の溝部及び／又は前記第２の溝部に載置して支持するように、複数配置され、
前記ソーラーパネルは、前記格子状に配置された前記複数のレールの上方に、前記第１方向および前記第２方向が形成する面に対して傾いた姿勢で固定されている
ことを特徴とする請求項８に記載の太陽光発電装置。
【発明の詳細な説明】
【技術分野】
【０００１】
本発明は、ソーラーパネル支持台に関する。
【背景技術】
【０００２】
太陽光発電装置は、ソーラーパネルと、該ソーラーパネルを支持するソーラーパネル架台とを含み、例えばビル等の建築物の屋上に設置されうる。建築物の所有者のなかには、太陽光発電装置の設置面に対してソーラーパネル架台を固定するための加工を施すこと（例えば、設置面にアンカーボルト用の開口を設けること）を望まないものもいる。
【０００３】
特許文献１には、設置面に載置された複数のソーラーパネル支持台（特許文献１において「基礎」と表現されている。）の上に脚部、支柱等を組み立ててソーラーパネル架台を形成し、該架台の上にソーラーパネルを固定することが開示されている。この構成によると、設置面に対してアンカーボルト等による上記加工を施す必要がない。
【先行技術文献】
【特許文献】
【０００４】
【特許文献１】特開平９−７０１８８号公報
【発明の概要】
【発明が解決しようとする課題】
【０００５】
特許文献１の構成によると、複数のソーラーパネル支持台のそれぞれの載置の位置が、ソーラーパネル架台の構造（具体的には、脚部、その締結部等の位置）によって決まる。そのため、この構成によると、該支持台の個々の載置の位置を、例えば設置面にルーフドレンが設けられている等の諸事情に応じて、変更することができない。このことは、太陽光発電装置を所望の位置に設置することができない原因となり、又は、太陽光発電装置の設置そのものが制限される原因ともなりうる。
【０００６】
本発明の目的は、ソーラーパネル支持台の載置の位置を変更することを可能にし、太陽光発電装置の設置に有利な技術を提供することにある。
【課題を解決するための手段】
【０００７】
本発明の一つの側面はソーラーパネル支持台にかかり、前記ソーラーパネル支持台は、ソーラーパネルを支持するためのソーラーパネル支持台であって、ソーラーパネルを支持する側の第１面に設けられ且つ第１方向に延在する第１の溝部であってソーラーパネルを固定するレールを載置するための第１の溝部と、前記第１面に設けられ且つ前記第１方向と交差する第２方向に延在する第２の溝部であってソーラーパネルを固定する他のレールを載置するための第２の溝部と、を含み、前記第１の溝部にレールが載置されている場合には該レールに対する相対位置を前記第１方向に沿って変更可能に構成され、かつ、前記第２の溝部にレールが載置されている場合には該レールに対する相対位置を前記第２方向に沿って変更可能に構成されたことを特徴とする。
【発明の効果】
【０００８】
本発明によれば、ソーラーパネル支持台の載置の位置を変更することを可能にし、太陽光発電装置の設置に有利である。
【図面の簡単な説明】
【０００９】
【図１】太陽光発電装置の構造の例を説明するための図である。
【図２】ソーラーパネル支持台の構造の例を説明するための図である。
【図３】ソーラーパネル支持台の構造の例を説明するための６面図である。
【図４】ソーラーパネル支持台の構造の例を説明するための図である。
【図５】ソーラーパネル支持台の構造の例を説明するための図である。
【発明を実施するための形態】
【００１０】
図１（ａ）及び（ｂ）は、太陽光発電装置１０の構造の例を説明するための模式図である。図１（ａ）は上面図を示しており、図１（ｂ）は側面図を示している。理解を容易にするため、図中には、Ｘ方向と、Ｘ方向と交差するＹ方向と、Ｘ方向およびＹ方向により形成される面と交差するＺ方向と、を示す。
【００１１】
太陽光発電装置１０は、例えば、ソーラーパネル１１と、ソーラーパネル架台１２と、レール２１と、ソーラーパネル支持台２２とを備える。例えば、設置面Ｇの上にソーラーパネル支持台２２が載置された後、ソーラーパネル支持台２２の上にレール２１が配され、レール２１の上にソーラーパネル架台１２が形成される。その後、ソーラーパネル架台１２の上にソーラーパネル１１（太陽光電池モジュール）が配置され固定される。このような手順により、太陽光発電装置１０が設置される。
【００１２】
ソーラーパネル支持台２２は、典型的にはコンクリート等の石材で構成され、その内部には鉄筋等が内包されてもよい。ソーラーパネル支持台２２は、ソーラーパネル１１およびソーラーパネル架台１２を支持すると共に、それらの転倒を防ぐためのウェート材として作用する。この観点で、「支持台」は、「ウェート材」と表現されてもよいし、又は、「基礎用ブロック」若しくは単に「基礎」、「ブロック」等と表現されてもよい。
【００１３】
レール２１は、例えばアルミやスチール等で構成され、Ｘ方向およびＹ方向の双方に沿って複数配される。図中において、Ｘ方向に沿って配されるレール２１とＹ方向に沿って配されるレール２１とは接続機構２３によって接続され、これによって複数のレール２１を、設置面と平行な方向である水平方向に、格子状に配置することができる。該格子状に配置された複数のレール２１の上には、複数のソーラーパネル１１が、それらにそれぞれ対応する複数のソーラーパネル架台１２を介して支持され固定される。なお、各部材の固定には、例えばボルト、ビス、ネジ等、所定の固定手段又は締結手段が用いられればよい。
【００１４】
図２は、ソーラーパネル支持台２２の構造の例を示す斜視図である。図３（ａ）〜（ｆ）は、ソーラーパネル支持台２２の上面図、正面図、背面図、底面図、右側面図および左側面図をそれぞれ示す。本構造の理解を容易にするため、図中には、Ｘ方向、Ｙ方向及びＺ方向を示す。
【００１５】
ソーラーパネル支持台２２は、ソーラーパネル１１を支持する側の第１面Ｓ１と、面Ｓ１の反対側の面である第２面Ｓ２とを有する。即ち、太陽光発電装置１０を設置するのに際して、面Ｓ１は上面に対応し、面Ｓ２は底面に対応する。ソーラーパネル支持台２２は、面Ｓ１に形成された第１の溝部３１を含む。溝部３１は、レール２１を載置するための載置部として作用し、レール２１に対するソーラーパネル支持台２２の相対位置をレール２１に沿って変更できるように構成されていればよい。溝部３１は、例えば、面Ｓ１に対して窪んだ形状（例えば凹形状）を有し且つレール２１の幅に応じた幅を有していればよい。溝部３１は、本例では、Ｙ方向に沿って形成されている。
【００１６】
また、面Ｓ１上の溝部３１の両側には開口ＯＰがそれぞれ形成されている。これにより、開口ＯＰに対応する孔を有する金属板材であって溝部３１に載置されたレール２１を固定するための金属板材を、所定の固定手段又は締結手段を用いて面Ｓ１に取り付けることができる。他の例では、開口ＯＰに代わって又は開口ＯＰに付随して、溝部３１の底面及び／又は側面に、レール２１と溝部３１とを互いに固体するための孔その他の固定手段又は締結手段が設けられていてもよい。
【００１７】
ソーラーパネル支持台２２は、面Ｓ１に形成された第２の溝部３２を更に含んでもよい。溝部３２は、溝部３１と交差するようにＸ方向に沿って形成されている。これにより、レール２１を、ソーラーパネル支持台２２の上にＸ方向およびＹ方向のいずれに沿って載置することも可能である。
【００１８】
溝部３１及び／又は溝部３２は、溝部３１と溝部３２との交差部Ｃの近傍での溝の幅が交差部Ｃから離れた位置での溝の幅よりも大きくなるように形成されてもよい。これにより、例えばＸ方向に沿って配されるレール２１とＹ方向に沿って配されるレール２１とを接続する接続機構２３（図１参照）を、交差部Ｃに載置することができる。交差部Ｃは、接続機構２３のサイズに基づいて形成されればよく、例えば、接続機構２３の高さに基づいて、交差部Ｃでの底面と、溝部３１及び溝部３２の交差部Ｃ以外の部分での底面との高さが互いに異なるように形成されていてもよい。例えば、交差部Ｃでの底面は、溝部３１及び溝部３２の交差部Ｃ以外の部分での底面よりも低くてもよく、その段差は、接続機構２３の高さとレール２１の高さとの差に対応しうる。
【００１９】
本例では、溝部３２が面Ｓ１の端部に形成され、即ち、溝部３１と溝部３２とがＴ字状に交差する構造を例示した。しかしながら、ソーラーパネル支持台の構造は本例に限られるものではなく、本例に基づく複数の種類のソーラーパネル支持台が準備されてもよい。例えば、他の例では、溝部３２（及び交差部Ｃ）は、面Ｓ１の中央領域に形成されてもよい。更に他の例では、溝部３１及び溝部３２の双方が面Ｓ１の端部に形成され（即ち、交差部Ｃが面Ｓ１のコーナー領域に形成され）、溝部３１と溝部３２とがＬ字状に交差してもよい。この例によると、ソーラーパネル支持台２２を、設置面Ｇに対する平面視において、格子状に配された複数のレール２１のうち最も外側に配されたものに対する外側へのはみ出し量を低減しながら配置することもできる。
【００２０】
本構造によると、レール２１は、設置面Ｇよりも高い位置であってソーラーパネル支持台２２の溝部３１と略等しい位置に配置される。ソーラーパネル１１は、該レール２１の上に形成されたソーラーパネル架台１２により支持され、固定される。ここで、ソーラーパネル支持台２２は、直接的には溝部３１（及び溝部３２）によりレール２１を固定する手段として作用し、その位置は、ソーラーパネル架台１２を構成する部材（例えば脚部、その締結部等）の位置に制限されない。即ち、ソーラーパネル支持台２２の位置（より具体的には、設置面Ｇにおけるソーラーパネル支持台２２の載置の位置）は、ソーラーパネル架台１２の構成に依存しない。そのため、本構造によると、設置面Ｇに対するレール２１の相対位置を変更することなく、レール２１および設置面Ｇに対するソーラーパネル支持台２２の相対位置を変更することができる。よって、本構造によると、ソーラーパネル支持台２２の位置を、例えば設置面Ｇにルーフドレンが設けられている等の諸事情に応じて変更することができ、太陽光発電装置１０を所望の位置に設置するのに有利である。
【００２１】
なお、ソーラーパネル支持台２２の位置の変更は、レール２１、レール２１の上に形成されるソーラーパネル架台１２および該架台１２によって支持されるソーラーパネル１１の総重量、重心等に基づいて、これらが転倒しない条件を満たす範囲で為されればよい。
【００２２】
また、レール２１、ソーラーパネル架台１２およびソーラーパネル１１がソーラーパネル支持台２２によって設置面Ｇよりも高い位置に固定されることにより、これらソーラーパネル１１等に対する横風の影響が低減されうることにも留意されたい。これは、横風が設置面Ｇとレール２１との間を吹き抜けやすくなるからである。よって、ソーラーパネル支持台２２の高さ（面Ｓ１と面Ｓ２との距離）は、レール２１、ソーラーパネル架台１２およびソーラーパネル１１の総重量、重心等の他、これらの形状（例えば、横風の影響の受けやすさ）に基づいて決定されればよい。また、レール２１がソーラーパネル支持台２２の溝部３１において固定されるため、横風によるレール２１の位置ずれも抑制され、また、横風によって生じうる揚力およびそれに起因するレール２１の浮き上がりも抑制され、結果として、太陽光発電装置１０全体の設置面Ｇに対する位置ずれ、転倒等が防止されうる。以上のことは、ソーラーパネル支持台２２の重量を小さくし及び／又はソーラーパネル支持台２２の数量を少なくすることを可能にし（即ち、太陽光発電装置１０全体の総重量を低減することを可能にし）、太陽光発電装置１０による設置面Ｇへの負荷を低減する。例えば図１に示された構造では、ソーラーパネル支持台２２の高さを、例えば５［ｃｍ］〜１５［ｃｍ］の範囲内（例えば１０［ｃｍ］程度）にするとよい。
【００２３】
１つあたりのソーラーパネル支持台２２は、その重量が、持ち運び等のハンドリングに有利な範囲内になるように設計されればよい（例えば、２０［ｋｇ］程度またはそれ以下）。他の例では、重量が互いに異なる複数の種類のソーラーパネル支持台が、各々の重量が例えば１０［ｋｇ］から２０［ｋｇ］の範囲内になるように設計されてもよい。
【００２４】
図４は、応用例として、ソーラーパネル支持台２２’の構造を示している。持ち運び等のハンドリングをより有利にするため、ソーラーパネル支持台２２’は、その少なくとも１つの面に形成された把持部４１を含んでもよい。把持部４１は、ある面（例えば右側面）と、その反対側の面（例えば左側面）との２つの面に形成されるとよい。なお、把持部４１の概念には、指を引っかけて持ち上げるための切欠き、開口、溝、段差等が含まれる他、握り持つための取っ手（ハンドグリップ）等も含まれる。
【００２５】
図４では凹形状の把持部４１を例示したが、ソーラーパネル支持台２２’を成形して型抜きする際にその一部が欠けてしまうことを防ぐため、例えば、互いに接続された２つの面により形成される角部が鈍角になるようにしてもよい。例えば、把持部４１の凹形状を形成する面のうち右側面（又は左側面）に接続された面を傾斜させ、該面と右側面とが形成する角部を鈍角にしてもよい。例えば、該面と右側面とが成す角を１４５〜１５５°の範囲内（例えば１５０°程度）にしてもよい（即ち、該面と面Ｓ２とが成す角を２５〜３５°の範囲内（例えば３０°程度）にしてもよい。）。他の例では、この角部に曲率を持たせて丸みを帯びた形にしてもよい。
【００２６】
再び図３（ｅ）〜（ｆ）を参照すると、ソーラーパネル支持台２２は、例えば、面Ｓ１と面Ｓ２とを接続する位置であって溝部３２の側とは反対側の位置に配された連結部３３をさらに含む。ソーラーパネル支持台２２は、連結部３３により他のソーラーパネル支持台に連結されうる。
【００２７】
連結部３３は、例えば、面Ｓ１に接続され且つ面Ｓ１と交差する第３面Ｓ３と、面Ｓ２に接続され且つ面Ｓ２と交差する第４面Ｓ４と、面Ｓ３及び面Ｓ４の双方と交差し且つ面Ｓ３と面Ｓ４とを接続する第５面Ｓ５とを含みうる。面Ｓ３のＺ方向での長さと、面Ｓ４のＺ方向での長さとは、互いに略等しい。なお、本例では、面Ｓ１に対する平面視において、面Ｓ３が面Ｓ４に対して外側に位置しているが、これらの位置関係は逆でもよい。
【００２８】
図５（ａ）は、ソーラーパネル支持台２２、及び、それに連結されるべき他のソーラーパネル支持台（区別のため「ソーラーパネル支持台２２ｂ」とする。）を説明するための模式図である。図５（ｂ）は、ソーラーパネル支持台２２及び２２ｂを互いに隣接させながら設置面Ｇに載置したときの様子を示している。
【００２９】
ソーラーパネル支持台２２ｂは、例えば、溝部３１ｂと、連結部３３ｂとを含む。ソーラーパネル支持台２２ｂは、設置面Ｇに載置されたときにソーラーパネル支持台２２と略等しい高さになるように構成される。溝部３１ｂは、その上面に溝部３１と略等しい幅かつ深さで形成され、ソーラーパネル支持台２２及び２２ｂを互いに隣接させながら載置した場合に溝部３１に接続されて溝部３１と略一直線の単一の溝を形成する。
【００３０】
連結部３３ｂは、連結部３３の形状に対応する形状で構成されればよく、連結部３３と係合するように構成されればよい。本例では、連結部３３ｂは、面Ｓ３に接触し又は近接するべき面Ｓ６と、面Ｓ４に接触し又は近接するべき面Ｓ７と、面Ｓ６と面Ｓ７とを接続する面Ｓ８とを含む。面Ｓ８は、ソーラーパネル支持台２２及び２２ｂを互いに隣接させながら載置した場合に、面Ｓ５と接触するとよい。このような構造によると、ソーラーパネル支持台２２及び２２ｂを互いに隣接させて載置した場合に、一方のソーラーパネル支持台（ここでは支持台２２）が他方のソーラーパネル支持台（ここでは支持台２２ｂ）を固定するように作用し、これらは連結されうる。
【００３１】
面Ｓ３と面Ｓ４とは互いに略平行である。面Ｓ５は、面Ｓ３及び面Ｓ４に対して略垂直に設けられてもよいが、他の例では、面Ｓ３と面Ｓ５とが成す角および面Ｓ４と面Ｓ５とが成す角が鋭角になるように設けられてもよい。これに対応するように、面Ｓ８は、面Ｓ６と面Ｓ８とが成す角および面Ｓ７と面Ｓ８とが成す角は鋭角になるように設けられてもよい。また、他の例では、面Ｓ５には粗面加工が施され、それに付随して、面Ｓ８には粗面加工が施されてもよい。これらの例によると、ソーラーパネル支持台２２とソーラーパネル支持台２２ｂとの位置ずれを防ぐことができる。
【００３２】
本例では、連結部３３が面Ｓ３〜Ｓ５により形成された構造、即ち、１つの側面がクランク状に成形された構造を連結部３３として例示した。しかしながら、連結部３３は、本例に限られるものではなく、他の形状をとってもよい。例えば、凹状に形成された連結部を含む支持台と、凸状に形成された連結部を含む支持台とを個別に準備してもよい。これら２種類の連結部によると、一方の種類の連結部を含む支持台と、他方の種類の連結部を含む支持台とを互いに隣接させて載置したとき、これら２つの支持台の双方は互いを相互に固定するように作用しうる。
【００３３】
ここでは説明を容易にするため、２つのソーラーパネル支持台２２及び２２ｂを互いに連結させた態様を例示したが、３以上のソーラーパネル支持台２２が連結されてもよい。２以上のソーラーパネル支持台２２を連結することにより、それらの総重量を調整しながらそれらをウェート材として適切に作用させることができる。なお、連結されるソーラーパネル支持台２２の総数は、レール２１、ソーラーパネル架台１２およびソーラーパネル１１の総重量、重心等に基づいて、これらが転倒しない条件を満たすように決定されればよい。
【００３４】
以上では、いくつかの好適な実施形態の例が示されたが、本発明はこれらに限られるものではなく、その趣旨を逸脱しない範囲内で、その一部が変更されてもよいし、上述の各例の特徴が組み合わされてもよい。
【符号の説明】
【００３５】
１０：太陽光発電装置、１１：ソーラーパネル、１２：ソーラーパネル架台、２１：レール、２２：ソーラーパネル支持台、Ｓ１：第１面、Ｓ２：第２面、３１：第１の溝部、３２：第２の溝部、３３：連結部。
【図１】
0006310434.tif 000002
【図２】
0006310434.tif 000003
【図３】
0006310434.tif 000004
【図４】
0006310434.tif 000005
【図５】
0006310434.tif 000006